(57)【要約】【課題】  従来の成形金型を使用しながら、簡単な工程を追加することで保温機能を付与することを課題として、もって従来の外観形状を保持しながら、保温機能が付与された容器を低コストで提供することを目的とする。【解決手段】  容器の内表面に、被覆樹脂中に蓄熱材等の保温機能を有する核材を内包するマイクロカプセル、内部に空孔を有する合成樹脂製の微粒子をコーティング状に付着させる。【選択図】      図１
2005104497.tif 000002
【特許請求の範囲】
【請求項１】
内表面に保温機能を有する合成樹脂製の微粒子をコーティング状に付着させてなる合成樹脂容器。
【請求項２】
微粒子が、被覆樹脂中に保温機能を有する核材を内包するマイクロカプセルであることを特徴とする請求項１記載の合成樹脂製容器。
【請求項３】
核材が蓄熱材であることを特徴とする請求項２記載の合成樹脂製容器。
【請求項４】
核材が内部に空孔を有することを特徴とする請求項２記載の合成樹脂製容器。
【請求項５】
微粒子が内部に空孔を有することを特徴とする請求項１記載の合成樹脂製容器。
【請求項６】
保温機能を有する微粒子に加えて熱変色性機能を有する核材を内包したマイクロカプセルを使用することを特徴とする請求項１、２、３、４まは５記載の合成樹脂製容器。
【請求項７】
微粒子を形成する樹脂が容器を形成する合成樹脂と同一系統の合成樹脂からなることを特徴とする請求項１、２、３、４、５または６記載の合成樹脂製容器。
【発明の詳細な説明】
【技術分野】
【０００１】
本発明は、保温機能が付与された合成樹脂製容器に関する。
【背景技術】
【０００２】
たとえば特許文献１にはプラスチック容器の一部を外壁と内壁の二重壁として空気層を形成することにより、高温の内容液が冷めたり、あるいは冷たい内容液が温まるのを抑制する機能（以下総称して保温機能と記す。）が付与されたプラスチック容器についての記載がある。
【特許文献１】特開２０００−１４２８３３号公報
【発明の開示】
【発明が解決しようとする課題】
【０００３】
しかしながら上記した従来技術においては、二重壁を形成するために成形工程が増加する、成形方法および容器の形状が限定される、特別な専用金型を要する等の原因により、製造コストが増加する、外観に係る商品性が低下する等の問題がある。
【０００４】
本発明は上記した問題点を解消するために創出されたものであり、従来の成形金型を使用しながら、簡単な工程を追加することで保温機能を付与することを課題として、もって従来の外観形状を保持しながら、保温機能が付与された容器を低コストで提供することを目的とする。
【課題を解決するための手段】
【０００５】
本発明は前記目的を達成するためになされたものであり、本発明の目的を達成するための手段のうち、請求項１記載の発明の手段は、容器の内表面に保温機能を有する合成樹脂製の微粒子をコーティング状に付着させてなること、にある。
【０００６】
請求項１記載の上記構成により、内表面に保温機能を有する微粒子をコーティング状に付着させて容器に保温機能を付与するので、容器の形状はなんら制約をうけることなく従来使用している容器の形状のままに従来の金型を用いて成形することができる。
【０００７】
また、本発明において微粒子の内表面へのコーティング状の付着は、容器を成形後、あるいはブロー成形容器等ではブロー成形中に、微粒子を粉体状で、あるいは水や溶剤に分散させた状態で吹き付け塗装状に内表面に吹き付けることにより達成することができ、簡単な工程を追加することで達成可能である。
【０００８】
そして、内容液が保温機能を有する微粒子に直接接するので、内容液の温度の変化、すなわち高温の内容液が冷めたり、あるいは冷たい内容液が温まるのを効果的に抑制することが可能となる。
【０００９】
請求項２記載の発明の手段は、請求項１記載の発明において微粒子が、被覆樹脂中に保温機能を有する核材を内包するマイクロカプセルであること、にある。
【００１０】
請求項２記載の上記構成により、微粒子を樹脂で被覆されたマイクロカプセルとすることにより、保温機能を有する核材が直接内容液に接触することがないので、飲料用容器としても使用することが可能となる。
【００１１】
ここで、マイクロカプセルは数ミクロン〜数十ミクロン程度の径を有し、通常界面活性剤を含有するモノマーに核材を乳化せしめて、この乳化液を界面活性剤水溶液中に滴下して分散させてエマルジョンを作り、系中のモノマーをラジカル付加重合させる等の方法で製造される。
【００１２】
請求項３記載の発明の手段は、請求項２記載の発明において、核材が蓄熱材であること、にある。
【００１３】
請求項３記載の上記構成により融解および凝固潜熱を利用して蓄熱および蓄冷機能が発揮される蓄熱材（潜熱貯蔵材）を内包するマイクロカプセルに内容液が直接接するので、内容液の温度の変化、すなわち高温の内容液が冷めたり、あるいは冷たい内容液が温まるのを効果的に抑制することが可能となる。
【００１４】
ここで蓄熱材は相転移自在な化合物であり、温度による相転移に伴う潜熱を利用して熱を蓄える目的で用いられるものであり、このような機能を有するものであれば特に限定されない。具体的には例えば、脂肪族炭化水素、芳香族炭化水素、脂肪酸、アルコール等の有機化合物や無機塩の水和物等が挙げられ、目的に応じて、すなわち内容液を保持する温度によって材料を選択して使用することができる。
【００１５】
請求項４記載の発明の手段は、請求項２記載の発明において、核材が内部に空孔を有すること、にある。
【００１６】
請求項４記載の上記構成により、空孔による断熱効果により内容液の温度変化を抑制することができる。ここで、内部に空孔を有する核材としては、中空微粒子、微多孔質体等を使用することができるが、核材は合成樹脂に内包された状態であり、中空微粒子あるいは微多孔質体は樹脂製である必要はなくたとえば無機材料製であってもよい。
【００１７】
請求項５記載の発明の手段は、請求項１記載の発明において、微粒子が内部に空孔を有すること、にある。
【００１８】
請求項５記載の上記構成により微粒子の空孔により断熱効果が発揮され内容液温度変化を抑制することができる。ここで微粒子として発泡体等の多孔質体、内部が中空であるマイクロカプセル等の中空微粒子を使用することができる。このような合成樹脂製の中空のマイクロカプセルは、発泡インク材にも多く使用されるものであり、低沸点の炭化水素を内包した熱可塑性樹脂製のセルを加熱して低沸点の炭化水素が膨張させることにより形成される。
【００１９】
請求項６記載の発明の手段は、請求項１、２、３、４または５記載の発明において、保温機能を有する微粒子に加えて熱変色性機能を有する核材を内包したマイクロカプセルを使用すること、にある。
【００２０】
請求項６記載の上記構成により、熱変色機能を有する核材により、たとえば透明の容器を使用すれば外部から内容液の温度を知ることが可能である。たとえば飲料用の容器では使用者は色の変化により飲み頃を知ることができる。
【００２１】
ここで、熱変色機能を有する核材としては従来より熱により色、発色濃度等の発色性が変化する印刷インク、あるいはガラスのコーティング等に使用され、温度表示、装飾、調光等の機能を有するサーモクロミック材料を核材として使用できる。
【００２２】
請求項７記載の発明の手段は、請求項１、２、３、４、５または６記載の発明において、微粒子を形成する樹脂が容器を形成する合成樹脂と同一系統の合成樹脂からなること、にある。
【００２３】
請求項７記載の上記構成により、少なくとも容器の内表面をガラス転移温度以上の高温状態にしておき、表面を軟化状態とした粉体状の微粒子を吹き付けて、微粒子の外表面を容器の内表面の樹脂と熱溶着させてコーティング状に付着させることが可能となり、水あるいは溶媒に分散させて吹き付ける方法に比較すれば、乾燥等の後処理工程を省くことができると共に、溶媒等の残存もなく飲料用の容器としても使用が可能となる。
【００２４】
たとえばブロー成形容器では、ブローエアに伴って粉体状の微粒子の表面を軟化させた状態を保ちながら容器に成形されつつあるパリソンあるいはプリフォームの内表面に吹き付ける方法等の工程で、微粒子の表面をまだ十分に高温状態にある容器の内表面の樹脂と熱溶着させてコーティング状に付着させることができる。微粒子の表面を軟化させた状態を保つ方法としては、高温のブローエアを用いる方法などが考えられる。また、高温エアにより微粒子の表面を軟化させてから吹き付けてもよい。もちろん容器をブロー成形後、金型による樹脂冷却が進行しないうちに、表面が軟化状態にある粉体状の微粒子を吹き付ける方法でも良い。
【発明の効果】
【００２５】
本発明は上記した方法および構成となっているので、以下に示す効果を奏する。
請求項１記載の発明にあっては、内表面に保温機能を有する微粒子をコーティング状に付着させて容器に保温機能を付与するので、容器の形状はなんら制約をうけることなく従来使用している容器の形状のままに従来の金型を用いて成形することができる。
【００２６】
また、微粒子の内表面へのコーティング状の付着は、容器を成形後、あるいはブロー成形容器等では容器へのブロー成形中に、微粒子を粉体状で、あるいは水や溶剤に分散させた状態で吹き付け塗装状に、内表面に吹き付けることにより達成することができ、簡単な工程を追加することで達成可能である
【００２７】
請求項２記載の発明にあっては、微粒子を樹脂で被覆されたマイクロカプセルとすることにより、保温機能を有する核材が直接内容液に接触することがないので、飲料用容器としても使用できる。
【００２８】
請求項３記載の発明にあっては、融解および凝固潜熱を利用して蓄熱および蓄冷機能が発揮される蓄熱材を内包するマイクロカプセルに内容液が直接接するので、内容液の温度の変化、すなわち高温の内容液が冷めたり、あるいは冷たい内容液が温まるのを効果的に抑制することが可能となる。
【００２９】
請求項４記載の発明にあっては、核材が内部に空孔を有するので、空孔による断熱効果により内容液の温度変化を抑制することができる。また核材は合成樹脂に内包された状態であり、中空微粒子あるいは微多孔質体は、樹脂製である必要はなくたとえば無機材料製のものも使用できる。
【００３０】
請求項５記載の発明にあっては、微粒子の空孔により断熱効果が発揮され内容液の温度変化を抑制することができる。
【００３１】
請求項６記載の発明にあっては、熱変色機能を有する核材により、外部より内容液の温度を識別することができる。
【００３２】
請求項７記載の発明にあっては、微粒子を形成する樹脂を容器を形成する合成樹脂と同一系統とすることにより、粉体状の微粒子を吹き付けて、微粒子の外表面を容器の内表面の樹脂と熱溶着させてコーティング状に付着させることが可能となり、水あるいは溶媒等の乾燥に係る後処理工程を省くことができると共に、溶媒等の残存もないので飲料用の容器としても使用が可能となる。
【発明を実施するための最良の形態】
【００３３】
以下、図面を参照しながら本発明の実施の形態を説明するが、本発明はこれら実施例に限定されるものではない。図１は本発明の合成樹脂製容器の一実施例を示すものであり、容器１の内表面に２種のマイクロカプセルＡとマイクロカプセルＢがコーティング状に積層された状態となっている。
【００３４】
容器１はブロー成形容器であり、透明な樹脂で形成されている。またマイクロカプセルＡ、Ｂは被覆樹脂４内に核材５を内包したものであり、被覆樹脂４は容器１を形成する合成樹脂と同一系統の合成樹脂から形成されている。
【００３５】
また、マイクロカプセルＡは核材５として蓄熱材が、マイクロカプセルＢは核材５としてサーモクロミック材料が使用されており、これらマイクロカプセルＡとマイクロカプセルＢが混じった状態で、各マイクロカプセルの被覆樹脂４の外表面は容器１の壁２の内表面に熱溶着すると共に、マイクロカプセル同士も熱溶着して、全体としてコーティング層３を形成している。
【００３６】
このコーティング層３は、容器１のブロー成形工程で、マイクロカプセルＡとマイクロカプセルＢを予め混合した粉体をブローエア中に吹きこんで粉体の表面を軟化させた状態を保ちながら、ブローエアと共に高温状態にある容器１の内表面に吹き付けて、被覆樹脂４と容器１の壁２を形成する樹脂、また被覆樹脂４同士の熱溶着により形成されたものである。なお、図１ではマイクロカプセルＡとマイクロカプセルＢを区別するためにマイクロカプセルＡの核材５は黒で、マイクロカプセルＢの核材５は白抜きで表している。
【００３７】
上記のように形成されてコーティング層３により、マイクロカプセルＡの蓄熱材の作用を利用した保温機能により内容液の温度変化を効果的に抑制することができると共に、マイクロカプセルＢ中のサーモクロミック材料の温度による発色性等の変化により内容液の温度状態を知ることができる。
【００３８】
なお、保温機能を有した微粒子としては上記実施例で示した蓄熱材だけでなく、中空微粒子、発泡体等の多孔質体、発泡インク等の断熱効果を利用した微粒子を利用することができる。また、容器の内表面に微粒子を付着させる方法にあっては、上記のように粉体を熱溶着で付着させる方法に限定されるものでなく、たとえば蓄熱材を内包したマイクロカプセルを水あるいは溶媒に分散させた状態で、容器の内表面に吹き付け塗装様に付着させる方法もあり、容器の用途に応じて選択することができる。
【産業上の利用可能性】
【００３９】
保温機能を有する容器として飲料用容器等に幅広く使用することができる。
【図面の簡単な説明】
【００４０】
【図１】本発明の合成樹脂製容器の一実施例を示す、半縦断正面図である。
【符号の説明】
【００４１】
１  ；容器
２  ；壁
３  ；コーティング層
４  ；被覆樹脂
５  ；核材
Ａ  ；マイクロカプセル（蓄熱材）
Ｂ  ；マイクロカプセル（サーモクロミック材）
【図１】
2005104497.tif 000003